(57)【特許請求の範囲】
【請求項１】
上刃先を有する上刃体と、下刃先を有する下刃体と、この上下両刃体間の外側で上刃体に面して配置した上操作てこと、この上下両刃体間の外側で下刃体に面して配置した下操作てことを備え、この上刃体と下刃体とは上刃先と下刃先とが互いに離間する方向の弾性を有し、
前記上刃先と下刃先とを相対向させた状態で、前記上操作てこに設けた支持部を、上刃体に設けた支持孔を通して上下両刃体間にその外側から挿入するとともに、前記下操作てこに設けた支持部を、下刃体に設けた支持孔を通して上下両刃体間にその外側から挿入し、この上操作てこの支持部と下操作てこの支持部とを、前記上操作てこと下操作てことにそれぞれ設けた操作部と前記上下両刃先との間に位置する回動連結部により上下両刃体間で互いに回動可能に支持し、
前記上操作てこの支持部には前記下刃体の支持孔に挿入されて前記上下両刃先と回動連結部との間で下刃体の外側に係合される力点部を設けるとともに、前記下操作てこの支持部には前記上刃体の支持孔に挿入されて前記上下両刃先と回動連結部との間で上刃体の外側に係合される力点部を設け、
これらの力点部は、前記上下両刃体の弾性により前記上操作てこの操作部及び下操作てこの操作部とともに互いに離間して上刃体の刃先と下刃体の刃先とを互いに離間させ、この上操作てこの操作部と下操作てこの操作部とを上下両刃体間の外側で互いに接近させた場合に互いに接近して上刃体の刃先と下刃体の刃先とを互いに接近させ、
さらに、前記上操作てこの支持部の力点部と下操作てこの支持部の力点部、並びに、前記上操作てこの操作部と下操作てこの操作部とが、それぞれ、一定距離以上互いに離間するのを阻止するストッパを設けた
ことを特徴とする爪切り。
【発明の詳細な説明】
【０００１】
【発明の属する技術分野】
この発明は、爪切りにおいて上下両刃体を操作する操作てこの改良に関するものである。
【０００２】
【従来の技術】
実開昭５８−１７８１０号公報にかかる従来の爪切りは、同公報の図面に示すように、両ばね桿３のほかに、それらの外側には両てこレバー５を備えている。この爪切りでは、両てこレバー５を手の平で握って使用する。
【０００３】
【発明が解決しようとする課題】
従来の爪切りにおいては、両切刃１の付近で両ばね桿３に一本の支点軸４が挿通されてこの支点軸４の両端頭部と両ばね桿３との間で両てこレバー５の基端部が挟持されている。このような両てこレバー５の支持構造では、弾性を有する両ばね桿３と両てこレバー５とに対しそれぞれ支点軸４を挿通して係止しなければならないので、それらの組付け作業が面倒であり、しかも支点軸４を必要とするために部品点数も増える問題がある。
【０００４】
本発明は、前述した両操作てこ方式の爪切りで両操作てこの支持構造を改良して組付け作業を容易にするとともに部品点数を減らすことを目的にしている。
【０００５】
【課題を解決するための手段及び発明の効果】
後記実施形態の図面（図１〜５）の符号を援用して本発明にかかる爪切りを説明する。
【０００６】
この爪切りは、上刃先（１ａ）を有する上刃体（１）と、下刃先（２ａ）を有する下刃体（２）と、この上下両刃体（１，２）間の外側で上刃体（１）に面して配置した上操作てこ（３）と、この上下両刃体（１，２）間の外側で下刃体（２）に面して配置した下操作てこ（４）とを備えている。
【０００７】
前記上刃先（１ａ）と下刃先（２ａ）とを相対向させた状態で、前記上操作てこ（３）に設けた支持部（１０）と、前記下操作てこ（４）に設けた支持部（１１）とを上下両刃体（１，２）間にその外側から挿入して、上下両刃体（１，２）間で回動連結部（１２）により互いに回動可能に支持している。前記上操作てこ（３）の支持部（１０）と下操作てこ（４）の支持部（１１）とには、それぞれ、上操作てこ（３）と下操作てこ（４）とを上下両刃体（１，２）間の外側で互いに接近離間させた場合に互いに接近離間して上刃体（１）の刃先（１ａ）と下刃体（２）の刃先（２ａ）とを互いに接近離間させる力点部（１３，１４）を設けている。
【０００８】
従って、上操作てこ（３）と下操作てこ（４）とを上下両刃体（１，２）間で回動連結部（１２）により互いに回動可能に支持しているので、前述した従来の爪切りにおける支点軸４を省略することができ、両操作てこ方式の爪切りとして特に障害者や介護者にとって大変使い易くなることはもちろん、上下両刃体（１，２）と上下両操作てこ（３，４）とに対する支点軸の組付けを必要とせず、組付け作業を容易にするとともに、部品点数も減らすことができる。
【０００９】
前記回動連結部（１２）は、前記上操作てこ（３）と下操作てこ（４）とにそれぞれ設けた操作部（８，９）と、前記上下両刃先（１ａ，２ａ）との間に位置している。前記上操作てこ（３）の支持部（１０）の力点部（１３）は、前記上下両刃先（１ａ，２ａ）と回動連結部（１２）との間に位置し、上操作てこ（３）と下操作てこ（４）とを互いに接近させた場合に、前記下操作てこ（４）の支持部（１１）の力点部（１４）に接近して下刃先（２ａ）を上刃先（１ａ）に接近させるように、下刃体（２）に対し係合する。前記下操作てこ（４）の支持部（１１）の力点部（１４）は、前記上下両刃先（１ａ，２ａ）と回動連結部（１２）との間に位置し、上操作てこ（３）と下操作てこ（４）とを互いに接近させた場合に、前記上操作てこ（３）の支持部（１０）の力点部（１３）に接近して上刃先（１ａ）を下刃先（２ａ）に接近させるように、上刃体（１）に対し係合する。
【００１０】
従って、上下両操作てこ（３，４）の力点部（１３，１４）が、上下両刃先（１ａ，２ａ）に対しより近い位置、すなわち上下両刃体（１，２）が弾性により撓む支点となる基端部からより遠い位置に設定され、前記従来技術で例示した爪切りと比較して、他の力学的条件が同一の場合、より小さい操作力で上下両刃先（１ａ，２ａ）に対し所定の切断力を与えることができて、より一層使い易くなる。
【００１１】
前記上操作てこ（３）の支持部（１０）は、上刃体（１）に設けた支持孔（６）を通して上下両刃体（１，２）間にその外側から挿入されている。前記下操作てこ（４）の支持部（１１）は、下刃体（２）に設けた支持孔（７）を通して上下両刃体（１，２）間にその外側から挿入されている。前記上操作てこ（３）の支持部（１０）の力点部（１３）は、前記下刃体（２）の支持孔（７）に挿入されて下刃体（２）の外側で係合される。前記下操作てこ（４）の支持部（１１）の力点部（１４）は、前記上刃体（１）の支持孔（６）に挿入されて上刃体（１）の外側で係合される。
【００１２】
従って、簡単な構造のもとで組付け作業をより一層容易にすることができる。
【００１３】
前記上刃体（１）と下刃体（２）とは、上刃先（１ａ）と下刃先（２ａ）とが互いに離間する方向の弾性を有している。その弾性により、前記上操作てこ（３）の支持部（１０）の力点部（１３）と下操作てこ（４）の支持部（１１）の力点部（１４）とが互いに離間するとともに、前記上操作てこ（３）の操作部（８）と下操作てこ（４）の操作部（９）とが互いに離間する。
【００１４】
従って、より一層使い易くなる。
【００１５】
前記上操作てこ（３）の支持部（１０）の力点部（１３）と下操作てこ（４）の支持部（１１）の力点部（１４）、並びに、前記上操作てこ（３）の操作部（８）と下操作てこ（４）の操作部（９）とが、それぞれ、一定距離以上互いに離間するのを阻止するストッパ（１５）を設けている。
【００１６】
従って、より一層使い易くなる。
【００１７】
【発明の実施の形態】
以下、本発明の一実施形態にかかる爪切りを図面を参照して説明する。
図１、図２及び図５（ａ）に示す爪切りは、大別して、上刃体１と下刃体２と上操作てこ３と下操作てこ４と爪飛散防止ケース５とを備えている。
【００１８】
前記上刃体１の先端部（前端部）には上刃先１ａが形成されている。前記下刃体２の先端部（前端部）には下刃先２ａが上刃先１ａに対向して形成されている。この上刃体１と下刃体２とはそれらの基端部（後端部）で互いに固着されている。この上刃体１には上刃先１ａの付近で支持孔６が貫設されている。この下刃体２には下刃先２ａの付近で支持孔７が上刃体１の支持孔６に対向して貫設されている。この上下両刃体１，２は前記爪飛散防止ケース５内に収容されている。この爪飛散防止ケース５は、左右両側壁５ａで上下両刃体１，２間の左右両側を覆い、上下両刃体１，２に対し前後方向へ若干移動して、上下両刃先１ａ，２ａの左右両側を覆う状態（図２参照）と開放する状態（図４参照）とを取り得る。
【００１９】
前記上操作てこ３と下操作てこ４とは、それぞれ、プラスチック材が表出する操作部８，９と、この操作部８，９から延びる支持部１０，１１とを備えている。この上操作てこ３の支持部１０は、上下両刃体１，２間にその外側から前記上刃体１の支持孔６を通して挿入されている。この下操作てこ４の支持部１１は、上下両刃体１，２間にその外側から前記爪飛散防止ケース５の底壁５ｂ及び前記下刃体２の支持孔７を通して挿入されている。これらの支持部１０，１１は、上下両刃体１，２間においてＸ状に交差し、支軸である回動連結部１２により互いに回動可能に支持されている。この回動連結部１２は前記上操作てこ３及び下操作てこ４の操作部８，９と、前記上下両刃先１ａ，２ａとの間に位置している。
【００２０】
前記上操作てこ３の支持部１０は、前記下刃体２の支持孔７に挿入され、下刃体２の外側で力点部１３を有している。前記下操作てこ４の支持部１１は、前記上刃体１の支持孔６に挿入され、上刃体１の外側で力点部１４を有している。これらの力点部１３，１４はそれぞれ前記上下両刃先１ａ，２ａと回動連結部１２との間に位置している。
【００２１】
前記下操作てこ４の支持部１１には前記上操作てこ３の支持部１０に当接し得るストッパ１５が突設されている。不使用時、前記上下両刃体１，２の弾性により上下両刃先１ａ，２ａが互いに離間すると、前記上操作てこ３の支持部１０の力点部１３と下操作てこ４の支持部１１の力点部１４とが上下両刃体１，２の支持孔６，７の周縁で押されて互いに離間する。さらに、この両支持部１０，１１が回動連結部１２で回動して、前記上操作てこ３の操作部８と下操作てこ４の操作部９とが互いに離間する。その場合、前記下操作てこ４の支持部１１のストッパ１５は、上操作てこ３の支持部１０に当接して、前記両力点部１３，１４間及び両操作部８，９間が一定距離以上互いに離間するのを阻止する。
【００２２】
図３及び図５（ｂ）に示すように、使用時、前記上下両操作てこ３，４の操作部８，９を手の平で握って互いに接近させると、上下両操作てこ３，４の支持部１０，１１が回動連結部１２で回動し、上下両操作てこ３，４の力点部１３，１４が互いに接近する。さらに、この両力点部１３，１４が上下両刃体１，２の支持孔６，７の周縁に係合し、上下両刃先１ａ，２ａが互いに接近して当接する。
【図面の簡単な説明】
【図１】  本実施形態にかかる爪切りにおいて不使用状態を示す斜視図である。
【図２】  上記爪切りの不使用状態を示す側面図である。
【図３】  上記爪切りの使用状態を示す側面図である。
【図４】  図２において爪飛散防止ケースの使用状態を示す側面図である。
【図５】  （ａ）は図２の部分拡大断面図であり、（ｂ）は図３の部分拡大断面図である。
【符号の説明】
１…上刃体、１ａ…上刃先、２…下刃体、２ａ…下刃先、３…上操作てこ、４…下操作てこ、６，７…支持孔、８，９…操作部、１０，１１…支持部、１２…回動連結部、１３，１４…力点部、１５…ストッパ。
【図１】
0003643542.tif 000002
【図２】
0003643542.tif 000003
【図３】
0003643542.tif 000004
【図４】
0003643542.tif 000005
【図５】
0003643542.tif 000006